(57)【要約】【目的】茶盛り台などに使用される紙製展示台の製作コストを低減する。外観上の印象を変えずに展示数を低減する。【構成】前板２０の両側に連設された側板３０，３０を後方へ折り倒すと共に、側板３０，３０の後側に連設され前記前板２０より高さが高い後板を前板２０に平行に折り倒して、角筒状の外枠部９０を形成する。前板２０の上側に連設された天板４０を、展示品１０が複数段に陳列されるように階段状に折り曲げることにより、外枠部９０と一体の階段状物品陳列部１００を形成する。階段状物品陳列部１００においては、各段毎に展示品１０が所定の隙間をあけて並び、各展示品１０の両側面に対応する位置に縦スリット４２を設け、各展示品１０が置かれる部分を階段状に折り曲げて物品収容部４４を形成する際に、物品収容部４４の両側を物品支持部４３，４３として前側へ突出させることにより、各展示品１０を両側の物品支持部４３，４３間に把持する。後板の上側に連設され下方へ傾斜して前側へ折り倒された別の天板により、階段状物品陳列部１００を下方から支持する。【選択図】　　　図１
2004105564.tif 000002
【特許請求の範囲】
【請求項１】
前板の両側に連設された側板を後方へ折り倒すと共に、少なくとも一方の側板の後側に連設され前記前板より高さが高い後板を前板に平行に折り倒して形成された角筒状の外枠部と、前記前板の上側に連設された天板を、展示品が複数段に陳列されるように前板の上縁部から前記後板の上縁部へ階段状に折り曲げると共に、各段毎に展示品が所定の隙間をあけて並び、各展示品の両側面に対応する位置に縦スリットを設け、各展示品が置かれる部分を階段状に折り曲げて物品収容部とする際に両側の部分を物品支持部として前側へ突出させることにより、各展示品を両側の物品支持部間に把持するように構成された、前記外枠部と一体の階段状物品陳列部とを具備することを特徴とする紙製展示台。
【請求項２】
前記階段状物品陳列部は、展示品の横幅のほぼ整数倍の横幅を有しており、階段状に折り曲げられた物品収容部の両側に位置する物品支持部を、物品収容部と同様に階段状に折り曲げることにより、展示品を各段に全幅にわたて隙間なく陳列できるように構成されていることを特徴とする請求項１に記載の紙製展示台。
【請求項３】
前記後板の上側に連設され下方へ傾斜して前側へ折り倒された別の天板により、前記階段状物品陳列部を下方から支持することを特徴とする請求項１又は２に記載の紙製展示台。
【請求項４】
両側の側板の各後側に後板を連設して、前板の後方で重ね合わせると共に、各後板の上側に別の天板をそれぞれ連設し、両方の別の天板を重ね合わせて前側へ折り倒すことにより、前記階段状物品陳列部を下方から二重の天板により支持することを特徴とする請求項３に記載の紙製展示台。
【請求項５】
前記後板とその上側の天板との間に存在する折り曲げ線から下側又は上側へ舌状に切り込んで形成され、前記天板を前側へ折り倒したときに折り倒し部から分離して後板の上側へ突出する、前記外枠部と一体の装飾部を具備することを特徴とする請求項１、２、３又は４に記載の紙製展示台。
【発明の詳細な説明】
【０００１】
【発明の属する技術分野】
本発明は、仏事に使用される茶盛り台などとして好適に用いられる紙製展示台に関する。
【０００２】
【従来の技術】
仏事に使用される茶盛り台は、縦に長く厚みが薄い直方体状の茶箱を各段数個ずつ階段状に陳列展示する構造になっており、最近は厚紙製とすることによりコスト低減が図られている。従来の厚紙製茶盛り台の構造を図６に示す。
【０００３】
図６に示された従来の厚紙製茶盛り台は、角箱状の台座部１と、台座部１の上に重ねられた角筒状の外枠部２と、外枠部２内に挿入された階段状の物品陳列部３と、外枠部２の後板から上方に突出する平板状の後方装飾部４とから構成されている。台座部１、外枠部２及び物品陳列部３が独立した部材であることは勿論、後方装飾部４も外枠部２の後板に差し込み装着された独立部材であり、茶盛り台は全体では４ピース構造である。
【０００４】
展示物である茶箱１０は、角筒状の外枠部２内に挿入された階段状の物品陳列部３上に、各段数個ずつ数段に陳列される。展示形態が階段状であることに起因して、外枠部２の後板は前板より背が高く、両側の側板の各上縁は後端から前端に向かって下降傾斜している。両側の側板の各上側には、外側へ折り倒して使用される、側板と一体の側方装飾部５，５が連設されている。
【０００５】
【発明が解決しようとする課題】
茶盛り台は、仏事では盛り花などと同様、重要な飾り物であり、また厚紙製としてコストダウンが図られているにもかかわらず、利用は限られている。その最大の理由は、従来の厚紙製茶盛り台の使用により、多額の出費を余儀なくされるからである。従来の厚紙製茶盛り台の経済性が良くない理由としては次のようなことが考えられる。
【０００６】
厚紙製とは言え、４つの独立した部材を使用する多ピース構造であり、茶盛り台自体の製造コストが十分に引き下げられない。他の飾り物の大きさとの関係から、茶盛り台として必要な大きさが外形に求められる。これに伴い、茶箱の陳列数も自ずと多くなり、茶箱に要する費用も嵩む。外形の大きさを変えずに茶箱の陳列数を減らすと見た目が貧相になる。
【０００７】
このような理由から、従来の厚紙製茶盛り台の使用は、使用者に相当の出費を強いることになり、使用者の経済的負担を増すばかりか、使用者を減少させる結果になっている。
【０００８】
本発明はかかる事情に鑑みて創案されたものであり、製造コストを低減できる上に、外観上の印象を変えずに展示物を減らすことができる、経済性に優れた紙製展示台を提供することを目的とする。
【０００９】
【課題を解決するための手段】
上記目的を達成するために、本発明に係る紙製展示台は、前板の両側に連設された側板を後方へ折り倒すと共に、少なくとも一方の側板の後側に連設され前記前板より高さが高い後板を前板に平行に折り倒して形成された角筒状の外枠部と、前記前板の上側に連設された天板を、展示品が複数段に陳列されるように前板の上縁部から前記後板の上縁部へ階段状に折り曲げると共に、各段毎に展示品が所定の隙間をあけて並び、各展示品の両側面に対応する位置に縦スリットを設け、各展示品が置かれる部分を階段状に折り曲げて物品収容部とする際に両側の部分を物品支持部として前側へ突出させることにより、各展示品を両側の物品支持部間に把持するように構成された、前記外枠部と一体の階段状物品陳列部とを備えている。
【００１０】
本発明に係る紙製展示台においては、角筒状の外枠部と、その内側に挿入される階段状物品陳列部とが１枚の板紙から形成される１ピース構造である。階段状物品陳列部においては、各段ごとに複数の展示品が隙間をあけて並ぶだけでなく、各展示品が、前側へ突出する物品支持部により両側から把持され、確実に固定される。しかも、その前側へ突出する物品支持部により、展示品両側の隙間が埋められることになる。したがって、貧相な印象を与えずに陳列数を減らすことができる。
【００１１】
階段状部品陳列部については、その横幅を、展示品の横幅のほぼ整数倍の横幅とするのがよい。こうすると、任意の段において、階段状に折り曲げられた物品収容部の両側に位置する物品支持部を、物品収容部と同様に階段状に折り曲げることにより、その段に、前記倍数と同じ個数の展示品を全幅にわたて隙間なく陳列できる。また、階段状部品陳列部の横幅を、展示品の横幅のほぼ整数倍の横幅とした上で、物品支持部の横幅を、展示品の横幅のほぼ１／２とするのがよい。こうすると、任意の段において、階段状部品陳列部の両側端に位置する２つの物品支持部のみを前側へ突出させることにより、その段に（前記倍数−１）個の展示品を隙間なく陳列できる。
【００１２】
階段状物品陳列部については又、その剛性を高める点から、後板の上側に連設され下方へ傾斜して前側へ折り倒された別の天板により、当該階段状物品陳列部を下方から支持する構造が好ましく、更に好ましくは、両側の側板の各後側に後板を連設して、前板の後方で重ね合わせると共に、各後板の上側に別の天板をそれぞれ連設し、両方の別の天板を重ね合わせて前側へ折り倒すことにより、当該階段状物品陳列部を下方から二重の天板により支持する。
【００１３】
後板とその上側の天板との間に存在する折り曲げ線から下側又は上側へ舌状に切り込んで形成され、天板を前側へ折り倒したときに折り倒し部から分離して後板の上側へ突出する、外枠部と一体の装飾部を設けることにより、装飾部を含め１ピース構造が実現される。
【００１４】
【発明の実施の形態】
以下に本発明の実施形態を図面に基づいて説明する。図１は本発明の一実施形態を示す紙製展示台の斜視図、図２は同紙製展示台の縦断側面、図３は同紙製展示台の展開図である。
【００１５】
本実施形態に係る紙製展示台は、図１及び図２に示すように、仏事において茶箱１０を階段状に展示する茶盛り台である。この紙製展示台は、図３に示すように、１枚の板紙を折り曲げて構成される。板紙の構造は以下のとおりである。
【００１６】
前板２０を起点に説明すると、前板２０の両側には山折り線ａ，ａを介して側板３０，３０が連設されている。前板２０の上側には山折り線ｂを介して第１の天板４０が連設されている。また、各側板３０の上側には、前板２０の側へ向けて下降傾斜した谷折り線ｃ，ｃを介して側方装飾部５０が連設されている。各側板３０の外側には、山折り線ｄ，ｄを介して後板６０がそれぞれ連設されている。各後板６０は前板２０より十分に高く設計されている。
【００１７】
一方の後板６０の上側には、山折り線ｅを介して第２の天板７０が連設されており、第２の天板７０の上縁には２つの差し込み片７１，７１が連設されている。他方の後板６０の上側にも同様に第２の天板７０が連設されており、その上縁には１つの差し込み片７２が連設されている。他方の後板６０とその上側の第２の天板７０との間の折り線から下側の後板６０へ舌状に切り込んで後方装飾部８０が形成されている。他方の後板６０とその上側の第２の天板７０との間の折り線は、後方装飾部８０のところでは谷折り線ｆであり、その両側では山折り線ｇ，ｇである。
【００１８】
前板２０の上側に連設された第１の天板４０は、階段状に折り曲げられて複数段（ここでは３段）の階段状物品陳列部を形成する。１段目は、折り返し部４１Ａより上の部分に複数本の縦スリット４２Ａを幅方向に所定の間隔で設けた構造になっている。そして、複数本の縦スリット４２Ａにより、所定数の物品支持部４３Ａの各間に所定数の物品収容部４４Ａが、折り返し部４１Ａの上側に形成されている。
【００１９】
各物品支持部４３Ａ及び各物品収容部４４Ａは、折り返し部４１Ａの上側に谷折り線ｈを介して連設されている。各物品支持部４３Ａの下部には、当該物品支持部４３Ａを前側へ突出させるために、山折り線ｉが設けられている。一方、各物品収容部４４Ａの下部には、当該物品収容部４４Ａを後側へ窪ませるために、谷折り線ｊが設けられている。
【００２０】
２段目も全く同じ構造であり、１段目の上側に山折り線ｂ′を介して連設された折り返し部４１Ｂの更に上側に、複数本の縦スリット４２Ｂにより形成された所定数の物品支持部４３Ｂ及び物品収容部４４Ｂが、谷折り線ｈ′を介して連設されており、物品支持部４３Ｂ及び物品収容部４４Ｂの各下部には、山折り線ｉ′及び谷折り線ｊ′がそれぞれ設けられている。
【００２１】
３段目についても１段目及び２段目と実質的に同一の構造であり、２段目の上側に山折り線ｂ″を介して連設された折り返し部４１Ｃの更に上側に、複数本の縦スリット４２Ｃにより形成された所定数の物品支持部４３Ｃ及び物品収容部４４Ｃが、谷折り線ｈ″を介して連設されており、物品支持部４３Ｃ及び物品収容部４４Ｃの各下部には、山折り線ｉ″及び谷折り線ｊ″がそれぞれ設けられている。そして、その上に、山折り線ｋを介して折り返し部４５が連設されており、更にその上に、２つの差し込み片４６，４６が連設されている。
【００２２】
ここで、各段３個の物品収容部４４の横幅は、展示品である茶箱１０の横幅のほぼ同じである。また、その両側に位置する各段４個の物品支持部４３の横幅は物品収容部４４の横幅のほぼ１／２とされている。これにより、階段状物品陳列部（第１の天板４０）の各段の横幅は、展示品である茶箱１０の横幅のほぼ整数倍となり、具体的には、各段における物品収容部４４の個数（３個）より２個多い５個分の横幅になっている。
【００２３】
次に、本実施形態に係る紙製展示台の組み立て方法について説明する。
【００２４】
まず、前板２０の両側に連設された側板３０，３０を山折り線ａ，ａで後方へほぼ直角に折る。側板３０，３０の各外側に連設された後板６０，６０を山折り線ｄ，ｄでほぼ直角に折り、前板２０にほぼ平行にする。これにより角筒状の外枠部９０が構成される。
【００２５】
次いで、一方の後板６０の上側に連設された一方の第２の天板７０を山折り線ｅで前側へ下方に傾斜した状態に倒し、差し込み片７１，７１を、前板２０の上に設けられた横スリット２１，２１にそれぞれ差し込む。これにより、一方の第２の天板７０が前下がりの傾斜状態に固定される。これが終わると、他方の後板６０の上側に連設された他方の第２の天板７０を山折り線ｇ，ｇで前側へ下方に傾斜した状態に倒して、先の第２の天板７０上に重ね、差し込み片７２を差し込み片７１，７１間に差し込む。これにより、他方の第２の天板７０が一方の第２の天板７０上に重なって、前下がりの傾斜状態に固定される。
【００２６】
このとき、後方装飾部８０を谷折り線ｆで上側へ倒し、下側の後板６０の上側に連続させる。また、両側の側板３０，３０の各上側に連設された側方装飾部５０，５０を谷折り線ｃ，ｃで両側へほぼ直角に折り倒して開く。
【００２７】
最後に、前板２０の上側に連設された第１の天板４０を折り曲げて、前下がりに傾斜した２枚の第２の天板７０，７０上に３段の階段状物品陳列部１００を形成する。以下にこの手順を図２に基づき具体的に説明する。
【００２８】
１段目の組立では先ず、折り返し部４１Ａを山折り線ｂで後側にほぼ垂直状態になるまで倒し、前板２０の後側に重なるようにする。折り返し部４１Ａに続く物品支持部４３Ａにおいては、下部を谷折り線ｈでほぼ１８０度谷折りし、折り返し部４１Ａの後側に重なるようにすると共に、下部より上側の部分を山折り線ｉで軽く山折りする。一方、物品収容部４４Ａにおいては、下部を谷折り線ｈでほぼ９０度谷折りし、ほぼ水平にすると共に、下部より上側の部分を谷折り線ｊで軽く谷折りする。
【００２９】
２段目の組立も同様に行う。即ち、折り返し部４１Ｂを山折り線ｂ′で後側にほぼ垂直状態になるまで倒す。折り返し部４１Ｂに続く物品支持部４３Ｂにおいては、下部を谷折り線ｈ′でほぼ１８０度谷折りし、折り返し部４１Ｂの後側に重なるようにすると共に、下部より上側の部分を山折り線ｉ′で軽く山折りする。一方、物品収容部４４Ｂにおいては、下部を谷折り線ｈ′でほぼ９０度谷折りし、ほぼ水平にすると共に、下部より上側の部分を谷折り線ｊ′で軽く谷折りする。
【００３０】
３段目の組立も同様に行う。即ち、折り返し部４１Ｃを山折り線ｂ″で後側にほぼ垂直状態になるまで倒す。折り返し部４１Ｃに続く物品支持部４３Ｃにおいては、下部を谷折り線ｈ″でほぼ１８０度谷折りし、折り返し部４１Ｃの後側に重なるようにすると共に、下部より上側の部分を山折り線ｉ″で軽く山折りする。一方、物品収容部４４Ｃにおいては、下部を谷折り線ｈ″でほぼ９０度谷折りし、ほぼ水平にすると共に、下部より上側の部分を谷折り線ｊ″で軽く谷折りする。
【００３１】
３段目に続く折り返し部４５は山折り線ｋでほぼ直角に山折りする。折り返し部４５に続く差し込み片４６，４６は、起立させた後方装飾部８０の下縁部に設けられた両側１組の２段式横スリット８１，８１の上段側に差し込み、更に後方装飾部８０の裏側を経由して下段側に差し込む。
【００３２】
こうして組み立てられた本実施形態に係る紙製展示台の特徴は以下のとおりである。
【００３３】
外枠部９０、その中に挿入される階段状物品陳列部１００、後方装飾部８０及び側方装飾部５０，５０が１枚の板紙から形成される１ピース構造であるため、製作コストが安価である。また、折り畳んだときの嵩も、４ピース構造と比べて格段に小さくなり、収納や運搬、運送等の効率が上がる。
【００３４】
第１の天板４０により形成される階段状物品陳列部１００においては、展示品である茶箱１０が階段状に陳列されるが、各段においては、所定数の茶箱１０が幅方向に所定の隙間をあけて陳列される。より具体的には、前側へ突出する物品支持部４３と後側へ窪む物品収容部４４とが交互に形成され、所定数の茶箱１０が両側から物品支持部４３，４３により挟持された状態で物品収容部４４内に収容される。
【００３５】
即ち、物品支持部４３，４３は、隙間を開けて並ぶ茶箱１０を両側から固定すると共に、その隙間を埋め、複数段の茶箱収容部４３の両側に階段状物品陳列部１００の上から下までほぼ連続する平坦面を形成する。このため、階段状物品陳列部１００の横幅一定のままで、貧相な感じを与えることなく茶箱１０の陳列数が低減され、茶箱１０の購入費用が下がる。
【００３６】
例えば、図６に示した従来の茶盛り台では各段に５個の茶箱１０が配列されるが、本実施形態では、ほぼ同じ幅のところに３個の茶箱１０が両側及び各間に隙間をあけて配列され、各隙間は前側へ突出した４つの物品支持部４３で埋められるのである。
【００３７】
階段状物品陳列部１００は、差し込み片４６，４６により、起立させた後方装飾部８０に係止されている。更に、第２の天板７０により下側から支持されており、しかも第２の天板７０は２枚重ねである。このため、補強リブなどを用いずとも、比較的単純な階段状構造のままで、階段状物品陳列部１００の剛性アップが図られる。これにより、部品点数の増加が回避され、コストアップが避けられる。また差し込み片４６，４６は、起立した後方装飾部８０を係止しており、後方装飾部８０が後方へ倒れるのを防止する支持片を兼ねている。
【００３８】
なお、差し込み片４６，４６が差し込まれる横スリット８１，８１は、ここでは後方装飾部８０にのみ２段に設けたが、下段側を、後方装飾部８０が設けられていない側の後板６０の上縁部に設け、後方装飾部８０から上記後板６０にかけて差し込み片４６，４６を掛け渡す構成とすることも可能である。
【００３９】
図４は本実施形態に係る紙製展示台の別の使用形態を示す斜視図である。
【００４０】
ここに示された使用形態では、第１の天板４０により形成される階段状物品陳列部１００の各段において、物品収容部４４だけでなく、その両側の物品支持部４３，４３が物品収容部４４と全く同様に後側へ窪む階段状に折り曲げられている。これにより、各段には、全幅にわたって連続する物品収容部が形成されることになり、その横幅は、展示品である茶箱１０の横幅のほぼ整数倍、ここではほぼ５倍である。このため、各段には、従来の茶盛り台と同様に５個の茶箱１０が両側の側板３０，３０に挟まれ密にガタツキなく配列される。
【００４１】
図５は本実施形態に係る紙製展示台のさらに別の使用形態を示す斜視図である。
【００４２】
ここに示された使用形態では、第１の天板４０により形成される階段状物品陳列部１００の１段目において、全ての物品支持部４３，４３が物品収容部４４と全く同様に後側へ窪む階段状に折り曲げられている。２段目においては、階段状物品陳列部１００の両側端に位置する２つの物品支持部４３，４３のみが前側へ突出させてあり、他は物品収容部４４と同様に後側へ窪む階段状に折り曲げられている。３段目においては、全ての物品支持部４３，４３・・が前側へ突出させてある。これにより、１段目には、５個の茶箱１０が両側の側板３０，３０に挟まれ密にガタツキなく配列される。２段目には、これより１個少ない４個の茶箱１０が両端の物品支持部４３，４３に挟まれ密にガタツキなく配列される。３段目には、更に少ない３個の茶箱１０が両側から物品支持部４３，４３により挟持された状態で物品収容部４４内に収容される。全ての段を２段目と同様に構成することもできる。
【００４３】
このように、本実施形態に係る紙製展示台では、各段の物品支持部４３，４３・・を選択的に前側へ突出させることにより、各段で陳列個数を独自に選択でき、これにより陳列総数を広範囲に調整できる。
【００４４】
上記実施形態は茶盛り台であるが、他の展示品、例えば商店における商品の陳列に適用することが可能である。また、後板６０及びその上側の第２の天板７０は、片側の側板３０にのみ設けることも可能である。
【００４５】
また、上記実施形態では、図示・説明の都合上、特に重要でない止め片は省略されており、実物では適宜止め片が追加される。階段状物品陳列部１００の段数は３段であるが、４段以上或いは２段以下でもよく、その段数を限定するものではない。
【００４６】
【発明の効果】
以上に説明したとおり、本発明に係る紙製展示台は、角筒状の外枠部と、その内側に挿入される階段状物品陳列部とが１枚の板紙から形成される１ピース構造としたので、製造コストを低減できる。階段状物品陳列部においては、各段ごとに複数の展示品を隙間をあけて配置すると共に、各展示品を前側へ突出する物品支持部により両側から把持固定する。このため、貧相な印象を与えずに陳列数を減らすことができ、この点からも経済性を高めることができる。また、折り畳んだときの嵩が小さく、収納や運搬、運送における効率がよい。更に、折り方を変えることにより、各段における展示品の陳列数を独自に選択でき、陳列総数を広範囲に調整できる利点もある。
【図面の簡単な説明】
【図１】本発明の一実施形態を示す紙製展示台の斜視図である。
【図２】同紙製展示台の縦断側面である。
【図３】同紙製展示台の展開図である。
【図４】同紙製展示台の別の使用形態を示す斜視図である。
【図５】同紙製展示台のさらに別の使用形態を示す斜視図である。
【図６】従来の紙製展示台の斜視図である。
【符号の説明】
１０　茶箱（展示品）
２０　前板
３０　側板
４０　第１の天板
４１　折り返し部
４２　縦スリット
４３　物品支持部
４４　物品収容部
５０　側方装飾部
６０　後板
７０　第２の天板
８０　後方装飾部
９０　外枠部
１００　階段状物品陳列部
【図１】
2004105564.tif 000003
【図２】
2004105564.tif 000004
【図３】
2004105564.tif 000005
【図４】
2004105564.tif 000006
【図５】
2004105564.tif 000007
【図６】
2004105564.tif 000008
【手続補正書】
【提出日】平成15年5月21日(2003.5.21)
【手続補正１】
【補正対象書類名】明細書
【補正対象項目名】００１０
【補正方法】変更
【補正の内容】
【００１０】
本発明に係る紙製展示台においては、角筒状の外枠部と、その内側に挿入される階段状物品陳列部とが一体の構造である。階段状物品陳列部においては、各段ごとに複数の展示品が隙間をあけて並ぶだけでなく、各展示品が、前側へ突出する物品支持部により両側から把持され、確実に固定される。しかも、その前側へ突出する物品支持部により、展示品両側の隙間が埋められることになる。したがって、貧相な印象を与えずに陳列数を減らすことができる。


【手続補正２】
【補正対象書類名】明細書
【補正対象項目名】００４６
【補正方法】変更
【補正の内容】
【００４６】
【発明の効果】
以上に説明したとおり、本発明に係る紙製展示台は、角筒状の外枠部と、その内側に挿入される階段状物品陳列部とが一体の構造としたので、製造コストを低減できる。階段状物品陳列部においては、各段ごとに複数の展示品を隙間をあけて配置すると共に、各展示品を前側へ突出する物品支持部により両側から把持固定する。このため、貧相な印象を与えずに陳列数を減らすことができ、この点からも経済性を高めることができる。また、折り畳んだときの嵩が小さく、収納や搬送、運送における効率がよい。更に、折り方を変えることにより、各段における展示品の陳列数を独自に選択でき、陳列総数を広範囲に調整できる利点もある。